(57)【要約】【課題】所望の減圧吸収性能を維持した上で、胴部に取り付けられるラベルに外観不良が発生するのを抑制できるボトルを提供する。【解決手段】パネル部５１は、径方向の内側に位置する底壁部５３と、底壁部５３の外周縁から径方向の外側に向けて延びる側壁部５４と、を有し、底壁部５３には、側壁部５４との間に隙間をあけて径方向の外側に向けて突出するリブ５５が形成され、径方向に沿う横断面視において、リブ５５の径方向外側に位置する頂面５５ａは、複数の柱部５２の径方向の外側に位置する頂部５２ａ同士を周方向に沿って結ぶ仮想円Ｌ上に位置していることを特徴とする。【選択図】図２
2013180756.tif 000002
【特許請求の範囲】
【請求項１】
筒状の胴部に、その径方向の内側に向けて窪むパネル部が周方向に間隔をあけて複数形成されるとともに、周方向で隣り合う前記パネル部同士の間が柱部とされたボトルであって、
前記パネル部は、径方向の内側に位置する底壁部と、該底壁部の外周縁から径方向の外側に向けて延びる側壁部と、を有し、
前記底壁部には、前記側壁部のうち、少なくとも周方向を向く縦側壁部との間に隙間をあけて径方向の外側に向けて突出するリブが形成され、
径方向に沿う横断面視において、前記リブの径方向外側に位置する頂面は、複数の前記柱部の径方向の外側に位置する頂部同士を周方向に沿って結ぶ仮想円上に位置していることを特徴とするボトル。
【請求項２】
前記頂面の周方向に沿うリブ幅は、前記パネル部の周方向に沿うパネル幅の１０％以上３８．５％以下に設定されていることを特徴とする請求項１記載のボトル。
【請求項３】
前記胴部の下端に連なり該胴部の下端開口部を閉塞する底部を備え、
前記底部の底壁部は、
外周縁部に位置する接地部と、
該接地部に径方向の内側から連なり上方に向けて延びる立ち上がり周壁部と、
該立ち上がり周壁部の上端部から径方向の内側に向けて突出する環状の可動壁部と、
該可動壁部の径方向の内端部から上方に向けて延びる陥没周壁部と、を備え、
前記可動壁部は、前記陥没周壁部を上下方向に移動させるように、前記立ち上がり周壁部との接続部分を中心に回動自在に配設されていることを特徴とする請求項１または２に記載のボトル。
【発明の詳細な説明】
【技術分野】
【０００１】
本発明は、ボトルに関する。
【背景技術】
【０００２】
従来から、合成樹脂材料で有底筒状に形成されたボトルとして、例えば下記特許文献１に示されるように、筒状の胴部に、その径方向の内側に向けて窪むパネル部が周方向に間隔をあけて複数形成されるとともに、周方向で隣り合うパネル部同士の間が柱部とされた構成が知られている。
この構成によれば、例えばボトルに密封された内容物の温度が低下してボトル内が減圧した場合等に、パネル部が径方向の内側に向けて優先的に変形することで、ボトルのうちパネル部以外の部分での変形を抑えつつ、ボトル内の減圧を吸収するようになっている。
また、例えば特許文献２に示されるように、ボトルの減圧強度を高める目的で、胴部の外表面に沿って複数の環状溝を設ける構成が知られている。
【先行技術文献】
【特許文献】
【０００３】
【特許文献１】特開２００９−３５２６３号公報
【特許文献２】特開２００４−２６２５００号公報
【発明の概要】
【発明が解決しようとする課題】
【０００４】
ところで、上述したボトルにあっては、商品名や内容物等の表示、意匠性向上の観点から、例えばシュリンクラベルや、ストレッチラベル、ロールラベル、タックラベル等といったラベルが胴部に取り付けられる。
しかしながら、上述した従来の技術では、パネル部が径方向の内側に向けて凹設されているため、特にシュリンクラベルを用いた場合に、平面視において円形状のボトルであっても、胴部におけるラベルの装着状態が、柱部を覆う部分が角部、パネル部を覆う部分が辺部となるような略多角形状となり、ラベルの外観に違和感（外観不良）を生じる場合がある。
【０００５】
上述した外観不良の発生を抑制するために、パネル部の周方向に沿うパネル幅を縮小すると、減圧時におけるパネル部の変位量が低下し、所望の減圧吸収性能を発揮できない虞がある。
また、ボトルの胴部に複数の環状溝を設けた場合も同様に、当該溝の形状にラベルが追随し、軸方向に波打つようなラベル外観となる虞がある。
【０００６】
そこで、本発明は、上述した事情に鑑みてなされたものであって、その目的は、所望の減圧吸収性能を維持した上で、胴部に取り付けられるラベルに外観不良が発生するのを抑制できるボトルを提供することである。
【課題を解決するための手段】
【０００７】
上記課題を解決するために、本発明は以下の手段を提案している。
本発明に係るボトルは、筒状の胴部に、その径方向の内側に向けて窪むパネル部が周方向に間隔をあけて複数形成されるとともに、周方向で隣り合う前記パネル部同士の間が柱部とされたボトルであって、前記パネル部は、径方向の内側に位置する底壁部と、該底壁部の外周縁から径方向の外側に向けて延びる側壁部と、を有し、前記底壁部には、前記側壁部との間に隙間をあけて径方向の外側に向けて突出するリブが形成され、径方向に沿う横断面視において、前記リブの径方向外側に位置する頂面は、複数の前記柱部の径方向の外側に位置する頂部同士を周方向に沿って結ぶ仮想円上に位置していることを特徴としている。
【０００８】
このような特徴により、ボトル内部が減圧すると、パネル部における底壁部と側壁部との接続部分を中心にして、底壁部が径方向の内側に向かって変位することになる。すなわち、減圧時にパネル部を優先的に変形させることで、他の部位での変形を抑えつつ、ボトルの内圧変化（減圧）を吸収できる。
しかも、本発明の構成によれば、底壁部に径方向の外側に向けて突出するリブを配設したため、パネル部を覆うように胴部に取り付けられるラベルを、径方向の内側から支持することができる。そのため、ラベル装着時において、パネル部を覆う当該ラベルが径方向の内側へ移動するのを規制できる。これにより、ラベルがパネル部の内側に引き込まれるのを抑制し、ラベルに外観不良が発生するのを抑制できる。
また、減圧時にパネル部が径方向の内側に向けて変形した場合であっても、当該ラベルの変位は抑制される。その結果、所望の減圧吸収性能を維持した上で、胴部に取り付けられるラベルに外観不良が発生するのを抑制できる。
【０００９】
特に、リブの頂面が、複数の柱部の各頂部の表面形状に倣って周方向に延びる仮想円上に位置しているため、リブにおいて柱部と同一面上でラベルを支持できる。これにより、パネル部を覆うラベル部分の径方向の内側への変位を確実に規制することができる。
【００１０】
また、上記本発明のボトルにおいて、前記頂面の周方向に沿うリブ幅は、前記パネル部の周方向に沿うパネル幅の１０％以上３８．５％以下に設定されていてもよい。
この場合には、パネル幅に対するリブ幅の割合を１０％以上３８．５％以下に設定することで、所望の減圧吸収性能を維持した上で、胴部に取り付けられるラベルに外観不良が発生するのを確実に抑制できる。
【００１１】
また、上記本発明のボトルにおいて、前記胴部の下端に連なり該胴部の下端開口部を閉塞する底部を備え、前記底部の底壁部は、外周縁部に位置する接地部と、該接地部に径方向の内側から連なり上方に向けて延びる立ち上がり周壁部と、該立ち上がり周壁部の上端部から径方向の内側に向けて突出する環状の可動壁部と、該可動壁部の径方向の内端部から上方に向けて延びる陥没周壁部と、を備え、前記可動壁部は、前記陥没周壁部を上下方向に移動させるように、前記立ち上がり周壁部との接続部分を中心に回動自在に配設されていてもよい。
【００１２】
この場合には、可動壁部が、陥没周壁部を上下方向に移動させるように、立ち上がり周壁部との接続部分を中心に回動自在に配設されているので、ボトル内圧が変動したときに、可動壁部を回動させその内圧変動を吸収させることで、肩部及び胴部それぞれのボトル径方向の変形を抑えることができる。そのため、ラベルに外観不良が発生するのを確実に抑えることができる。
【発明の効果】
【００１３】
本発明に係るボトルによれば、所望の減圧吸収性能を維持した上で、胴部に取り付けられるラベルに外観不良が発生するのを抑制できる。
【図面の簡単な説明】
【００１４】
【図１】本発明の実施形態におけるボトルの側面図である。
【図２】（ａ）は図１のＡ−Ａ線に沿う断面図であり、（ｂ）は図１のＢ−Ｂ線に沿う断面図である。
【図３】ボトルの底面図である。
【図４】図３のＣ−Ｃ線に沿う断面図である。
【図５】パネル幅Ｄ２に対するリブ幅Ｄ１の割合（Ｄ１／Ｄ２）と、吸収容量（ｍｌ）と、の関係を示すグラフである。
【発明を実施するための形態】
【００１５】
以下、図面を参照し、本発明の実施形態に係るボトルを説明する。
本実施形態に係るボトル１は、図１〜４に示されるように、口部１１、肩部１２、胴部１３及び底部１４を備え、これら１１〜１４が、それぞれの中心軸線を共通軸上に位置させた状態で、この順に連設された概略構成となっている。
【００１６】
以下、上述した共通軸をボトル軸Ｏといい、ボトル軸Ｏ方向に沿って口部１１側を上側、底部１４側を下側といい、また、ボトル軸Ｏに直交する方向を径方向といい、ボトル軸Ｏを中心に周回する方向を周方向という。
なお、このボトル１は、射出成形により有底筒状に形成されたプリフォームが、ブロー成形されてなり、合成樹脂材料で一体に形成されている。また、口部１１には、図示しないキャップが装着される。さらに、口部１１、肩部１２、胴部１３及び底部１４はそれぞれ、径方向に沿う横断面視形状が円形状となっている。
【００１７】
肩部１２と胴部１３との接続部分には、第１環状凹溝１６が全周にわたって連続して形成されている。
胴部１３は筒状に形成され、肩部１２の下端に連なり下方に向けて延在している。胴部１３のうち、ボトル軸Ｏ方向の両端部同士の間の中間部１３ａは、両端部よりも小径になっている。なお、胴部１３の中間部１３ａには、図示しない例えばシュリンクラベル等のラベルが巻き付けられるようになっている。
【００１８】
図１，３，４に示すように、底部１４は、有底筒状に形成され、上端開口部が胴部１３の下端開口部に接続されたヒール部１７と、ヒール部１７の下端開口部を閉塞し、かつ外周縁部が接地部１８とされた底壁部１９と、を備えている。
【００１９】
ヒール部１７は、接地部１８に径方向の外側から連なる下ヒール部２７と、胴部１３に下方から連なる上ヒール部２８と、これらの下ヒール部２７と上ヒール部２８とを連結する連結部２９と、を備えている。
下ヒール部２７は、上ヒール部２８より小径に形成され、連結部２９は、上方から下方に向かうに従い漸次縮径されている。
上ヒール部２８は、胴部１３のボトル軸Ｏ方向の両端部とともに、ボトル１の最大外径部となっている。また、上ヒール部２８におけるボトル軸Ｏ方向に沿う中間部分には、第２環状凹溝３１が全周に亘って連続して形成されている。
また、ヒール部１７の外周面、及び胴部１３の下端部の外周面には、例えばシボ加工等により突出高さの低い凹凸部１７ａが形成されている。
【００２０】
図３，４に示されるように、底壁部１９は、接地部１８に径方向の内側から連なり上方に向けて延びる立ち上がり周壁部２１と、立ち上がり周壁部２１の上端部から径方向の内側に向けて突出する環状の可動壁部２２と、可動壁部２２の径方向の内端部から上方に向けて延びる陥没周壁部２３と、を備えている。
【００２１】
立ち上がり周壁部２１は、下方から上方に向かうに従い漸次縮径している。また、立ち上がり周壁部２１には、凹凸部２１ａが全周に亘って形成されている。凹凸部２１ａは、径方向の内側に向けて突の曲面状に形成された複数の突部２１ｂが、周方向に間隔をあけて配設された構成となっている。
【００２２】
可動壁部２２は、下方に向けて突の曲面状に形成されるとともに、径方向の外側から内側に向かうに従い漸次下方に向けて延在している。可動壁部２２と立ち上がり周壁部２１とは、上方に向けて突の曲面部２５を介して連結されている。そして、可動壁部２２は、陥没周壁部２３を上方に向けて移動させるように、曲面部（立ち上がり周壁部２１との接続部分）２５を中心に回動自在となっている。
また、可動壁部２２には、複数のリブ４１がボトル軸Ｏを中心に放射状に配設されている。リブ４１は、上方に向けて曲面状に窪む複数の凹部４１ａが径方向に沿って断続的に配設された構成となっている。
【００２３】
陥没周壁部２３は、ボトル軸Ｏと同軸に配設されるとともに、その上端部に、ボトル軸Ｏと同軸に配置された頂壁２４が接続されており、これらの陥没周壁部２３及び頂壁２４の全体で有頂筒状をなしている。
【００２４】
陥没周壁部２３は、上方から下方に向かうに従い漸次拡径された多段筒状に形成されている。具体的に、陥没周壁部２３は、可動壁部２２の径方向の内端部から上方に向かうに従い漸次縮径された下筒部２３ａと、頂壁２４の外周縁部から下方に向かうに従い漸次拡径され下筒部２３ａより小径の上筒部２３ｂと、これらの両筒部２３ａ、２３ｂ同士を連結する環状段部２３ｃと、を備えている。
下筒部２３ａは、可動壁部２２の径方向の内端部に、下方に向けて突の曲面部２６を介して連結されている。なお、この曲面部２６は、径方向の内側を向く斜め下方に向けて突出している。また下筒部２３ａは、径方向に沿う横断面視で円形状に形成されている。
環状段部２３ｃは、径方向の外側に向けて窪む凹曲面状に形成されている。環状段部２３ｃは、立ち上がり周壁部２１の上端部よりも上方、もしくは同等の高さに位置している。
【００２５】
そして、上筒部２３ｂには、径方向の内側に張り出した張出部２３ｄが、周方向に複数連ねられて形成されることにより、底面視形状が、周方向で隣り合う張出部２３ｄ同士の間部分２３ｅを角部とし、かつ張出部２３ｄを辺部とした多角形状をなす角形筒部２３ｆが形成されている。
【００２６】
張出部２３ｄは、底面視において径方向の外側に向けて突の曲面状に形成され、陥没周壁部２３の上筒部２３ｂにおいて、周方向に間隔をあけて複数配置されている。本実施形態において、張出部２３ｄは３つ形成され、角形筒部２３ｆの底面視形状は正三角形状となっている。図３に示すボトル軸Ｏ方向に沿う縦断面視において、張出部２３ｄは、径方向の内側に向けて突の曲面状に形成されている。
また、張出部２３ｄ同士の間部分２３ｅは、底面視において径方向の外側に向けて突の曲面状に形成され、周方向で隣り合う張出部２３ｄの周方向に沿う端部同士を各別に連結している。
【００２７】
ここで、図１，２に示すように、上述した胴部１３の中間部１３ａには、径方向の内側に向けて窪む減圧吸収用のパネル部５１が周方向に間隔をあけて複数形成されている。そして、胴部１３において、周方向で隣り合うパネル部５１同士の間に位置する部分は、ボトル軸Ｏ方向に沿って延びる柱部５２を構成している。すなわち、胴部１３には、凹形状のパネル部５１と凸形状の柱部５２とが周方向に交互に配設されている。
【００２８】
パネル部５１は、径方向の外側から見てボトル軸Ｏ方向を長手方向とする矩形状に形成された底壁部５３と、底壁部５３の外周縁から径方向の外側に向けて立設され、底壁部５３を全周に亘って取り囲む側壁部５４と、を有している。
【００２９】
側壁部５４のうち、底壁部５３における周方向の両端に連なりボトル軸Ｏ方向に延びる一対の縦側壁部５４ａは、径方向の内側から外側に向かうに従い周方向の外側（各縦側壁部５４ａが離間する方向）に向けて傾斜する傾斜面とされている。そして、周方向で隣り合うパネル部５１の縦側壁部５４ａ同士の間に位置する柱部５２は、ボトル軸Ｏに直交する横断面視形状が径方向の内側から外側に向けて周方向の大きさが小さくなる台形状に形成されている。また、柱部５２における径方向の外側に位置する頂部５２ａは、径方向の外側に向けて突の曲面状に形成され、胴部１３における中間部１３ａの最大外径部となっている。
一方で、側壁部５４のうち、ボトル軸Ｏ方向の両端に位置して周方向に延びる一対の横側壁部５４ｂは、径方向の内側から外側に向けて延設されている。
【００３０】
そして、底壁部５３の中央部には、径方向の外側に向けて突出するリブ５５が形成されている。リブ５５は、径方向の外側から見てボトル軸Ｏ方向を長手方向とする矩形状に形成され、側壁部５４との間に全周に亘って隙間をあけて配設されている。すなわち、リブ５５は、パネル部５１の内側に島状に配設されている。
【００３１】
リブ５５の径方向に沿う横断面視（図２（ａ）参照）において、径方向の外側に位置する頂面５５ａは、径方向の外側に向けて突の曲面状に形成されている。頂面５５ａは、複数の柱部５２における各頂部５２ａの表面形状に倣って周方向に延びる仮想円Ｌ上に位置し、胴部１３における中間部１３ａの最大外径部となっている。
また、頂面５５ａにおける中間部１３ａの接線方向に沿うリブ幅Ｄ１は、パネル部５１における中間部１３ａの接線方向に沿うパネル幅Ｄ２の１０％以上３８．５％以下に設定されている。
【００３２】
リブ５５を画成する壁部のうち、周方向の両端に位置してボトル軸Ｏ方向に延びる一対の縦壁部５５ｂは、径方向の内側から外側に向かうに従い周方向の内側に向けて傾斜している。一方、リブ５５を画成する壁部のうち、ボトル軸Ｏ方向の両端に位置して周方向に延びる一対の横リブ５５ｃは、径方向の内側から外側に向かうにつれボトル軸Ｏ方向の外側から内側に向けて傾斜している。したがって、リブ５５は、径方向の内側から外側に向かうに従いボトル軸Ｏ方向、及び周方向の幅が漸次縮小する台形状に形成されている。
【００３３】
底壁部５３における側壁部５４の内周縁との接続部分５３ａは、図２（ａ）,（ｂ）に示されるように、ボトル軸Ｏ方向に沿う縦断面視（図２（ｂ）参照）、及び径方向に沿う横断面視（図２（ａ）参照）において、側壁部５４の内周縁から連なり径方向の内側に向けて窪む曲面状に形成されている。
【００３４】
本実施形態では、ボトル１の内部が減圧すると、パネル部５１における底壁部５３と側壁部５４との接続部分５３ａを中心にして、底壁部５３が径方向の内側に向かって変位することになる。すなわち、減圧時にパネル部５１を優先的に変形させることで、他の部位（例えば、柱部５２や肩部１２）での変形を抑えつつ、ボトル１の内圧変化（減圧）を吸収できる。
しかも、本実施形態では、底壁部５３に径方向の外側に向けて突出するリブ５５を形成したため、パネル部５１を覆うように胴部１３に巻き付けられるラベルを、径方向の内側から支持することができる。そのため、ラベル装着時において、パネル部５１を覆うラベルが径方向の内側へ移動するのを規制できる。これにより、ラベルがパネル部５１の内側に引き込まれるのを抑制し、ラベルに外観不良が発生するのを抑制できる。
また、減圧時にパネル部５１が径方向の内側に向けて変形した場合であっても、ラベルの変位は抑制される。その結果、所望の減圧吸収性能を維持した上で、胴部１３に巻き付けられるラベルに外観不良が発生するのを抑制できる。
【００３５】
特に、リブ５５の頂面５５ａが、複数の柱部５２の各頂部５２ａの表面形状に倣って周方向に延びる仮想円Ｌ上に位置しているため、リブ５５において柱部５２と同一面上でラベルを支持できる。これにより、パネル部５１を覆うラベル部分の径方向の内側への変位を確実に規制することができる。
【００３６】
さらに、本実施形態では、可動壁部２２が、陥没周壁部２３をボトル軸Ｏ方向に移動させるように、曲面部２５を中心に回動自在に配設されているので、ボトル１の内圧が変動したときに、可動壁部２２を回動させその内圧変動を吸収させることで、肩部１２及び胴部１３それぞれの径方向の変形を抑えることができる。そのため、ラベルに外観不良が発生するのを確実に抑えることができる。
また、可動壁部２２による減圧吸収機能が十分である場合、この可動壁部２２を優先的に減圧変位させ、前記パネル部５１の変形を抑制（防止）するように構成することもできる。
この場合は、例えばリブ幅Ｄ１を可能な限り大きく形成することができ、より確実にラベルに外観不良が発生することを防止できる。
【００３７】
ここで、本願発明者は、図５に示すように、パネル幅Ｄ２に対するリブ幅Ｄ１の割合（Ｄ１／Ｄ２）と、ボトル１内が減圧状態となった際の吸収容量（ｍｌ）と、の関係がどのように変化するかを検証した。本検証で用いたボトル１は、内容量が５００ｍｌとし、同形状のパネル部５１が胴部１３の周方向に均等間隔で６つ配置されている。また、減圧時に底壁部１９が実質変形しないような構成とし、パネル部５１のみの吸収容量を解析により検証した。
【００３８】
本試験において、パネル幅Ｄ２に対するリブ幅Ｄ１の割合は、パネル幅Ｄ２は変化させずに、リブ幅Ｄ１を６（ｍｍ）〜１２（ｍｍ）の範囲で１（ｍｍ）ずつ変化させることで調整した。具体的な条件は以下の通りである。
<サンプル１>リブ幅Ｄ１＝６、パネル幅Ｄ２＝２６ｍｍ（Ｄ１／Ｄ２＝２３．１％）
<サンプル２>リブ幅Ｄ１＝７、パネル幅Ｄ２＝２６ｍｍ（Ｄ１／Ｄ２＝２６．９％）
<サンプル３>リブ幅Ｄ１＝８、パネル幅Ｄ２＝２６ｍｍ（Ｄ１／Ｄ２＝３０．８％）
<サンプル４>リブ幅Ｄ１＝９、パネル幅Ｄ２＝２６ｍｍ（Ｄ１／Ｄ２＝３４．６％）
<サンプル５>リブ幅Ｄ１＝１０、パネル幅Ｄ２＝２６ｍｍ（Ｄ１／Ｄ２＝３８．５％）
<サンプル６>リブ幅Ｄ１＝１１、パネル幅Ｄ２＝２６ｍｍ（Ｄ１／Ｄ２＝４２．３％）
<サンプル７>リブ幅Ｄ１＝１２、パネル幅Ｄ２＝２６ｍｍ（Ｄ１／Ｄ２＝４６．２％）
【００３９】
図５に示すように、パネル幅Ｄ２に対するリブ幅Ｄ１の割合が高くなるにつれて（リブ幅Ｄ１が大きくなるにつれて）、パネル部５１においてラベルの支持部分が拡大されるため、ラベル装着に伴うラベルへの外観不良の発生は少なくなるものの、吸収容量が低下していることが分かる。具体的に、サンプル１〜７における吸収容量は、それぞれ２７．４（ｍｌ），２７．３（ｍｌ），２７．２（ｍｌ），２６．９（ｍｌ），２６．６（ｍｌ），２５．２（ｍｌ），２２．２（ｍｌ）となっている。
特に、パネル幅Ｄ２に対するリブ幅Ｄ１の割合が３８．５％より高い場合（サンプル６，７の場合）には、吸収容量が大幅に低下していることが分かる。これは、リブ幅Ｄ１が大きくなるにつれて、底壁部５３の幅が縮小し、減圧時におけるパネル部５１の変位量が低下するため、所望の減圧吸収性能を発揮できなかったと考えられる。この場合には、減圧強度の増加に追従できず、減圧途中でパネル部５１以外の箇所に局部変形が生じる等の虞がある。
これに対して、パネル幅Ｄ２に対するリブ幅Ｄ１の割合が３８．５％以下の場合には、ラベルに外観不良が発生するのを抑制した上で、２６（ｍｌ）以上の吸収容量を維持しており、十分な減圧吸収性能を発揮できた。
【００４０】
一方、パネル幅Ｄ２に対するリブ幅Ｄ１の割合が低くなるにつれて（リブ幅Ｄ１が小さくなるにつれて）、減圧時に十分な減圧吸収性能を発揮できるものの、外観の低下が顕著になった。これは、リブ幅Ｄ１が小さくなるにつれて、パネル部５１においてラベルの支持部分が縮小されるため、リブ５５と柱部５２との間隔が大きくなり、胴部１３に巻き付けられたラベルがパネル部５１の底壁部５３に向けて径方向の内側に移動し易くなったためと考えられる。具体的には、上記サンプル１において、シュリンクラベルを装着した際の外観の低下は見られなかった。
これに対して、パネル幅Ｄ２に対するリブ幅Ｄ１の割合が１０％未満とした場合には、装着されたシュリンクラベルに外観の低下が見られた。
【００４１】
以上の結果から、パネル幅Ｄ２に対するリブ幅Ｄ１の割合を１０％以上３８．５％以下に設定することで、所望の減圧吸収性能を維持した上で、胴部１３に巻き付けられるラベルに外観不良が発生するのを抑制できる。
【００４２】
以上、本発明の実施形態について図面を参照して詳述したが、具体的な構成はこの実施形態に限られるものではなく、本発明の要旨を逸脱しない範囲の設計変更等も含まれる。
【００４３】
例えば、パネル部５１及び柱部５２の数や配置等は、ボトル１に要求される強度や減圧吸収容量等を考慮して適宜設計変更が可能である。
また、上述した実施形態では、肩部１２、胴部１３及び底部１４のそれぞれの径方向に沿う横断面視形状を円形状としたが、これに限らず例えば、多角形状にする等適宜変更してもよい。
さらに、上述した実施形態では、リブ５５が側壁部５４との間に全周に亘って隙間をあけて配設した場合について説明したが、これに限らず、少なくとも縦側壁部５４ａとの間に隙間をあけていれば構わない。
【００４４】
また、上述した実施形態では、各底壁部５３にそれぞれ一つのリブ５５を配設した場合について説明したが、これに限らず、リブ５５を複数ずつ配設しても構わない。
また、ボトル１を形成する合成樹脂材料は、例えばポリエチレンテレフタレートや、ポリエチレンナフタレート、非晶性ポリエステル等、またはこれらのブレンド材料等、適宜変更してもよい。
さらに、ボトル１は単層構造体に限らず中間層を有する積層構造体としてもよい。この中間層としては、例えばガスバリア性を有する樹脂材料からなる層、再生材からなる層、若しくは酸素吸収性を有する樹脂材料からなる層等が挙げられる。
【００４５】
その他、本発明の趣旨を逸脱しない範囲で、前記実施形態における構成要素を周知の構成要素に置き換えることは適宜可能であり、また、前記変形例を適宜組み合わせてもよい。
【符号の説明】
【００４６】
１…ボトル
１３…胴部
１４…底部
１８…接地部
１９…底壁部
２１…立ち上がり周壁部
２２…可動壁部
２３…陥没周壁部
５１…パネル部
５２…柱部
５３…底壁部
５４…側壁部
５４ａ…縦側壁部
５５…リブ
Ｄ１…リブ幅
Ｄ２…パネル幅
Ｌ…仮想円
Ｏ…ボトル軸
【図１】
2013180756.tif 000003
【図２】
2013180756.tif 000004
【図３】
2013180756.tif 000005
【図４】
2013180756.tif 000006
【図５】
2013180756.tif 000007